(57)【要約】      （修正有）【課題】ゴミ容器に使用するポリ袋をずれ落ち難くし、ポリ袋の大きさ、形状の制限を少なくする。また、ポリ袋及びポリ袋を留めるための部品、部位を外部から見えなくし、ゴミ入れの外観を美しくするゴミ容器蓋を提供する。【解決手段】蓋１の裏面との間に枠２を嵌め込める大きさの隙間を設けて向い合せに爪１０が取り付いている。また、枠２はポリ袋３を爪１０にしっかりと取り付けるために、ゴムなどの反発力をもつ弾性体を持ち合わす。【選択図】図１
0003169995.tif 000002
【実用新案登録請求の範囲】
【請求項１】
蓋の裏面との間に、袋と袋を折り返して掛けた枠を共に嵌め込める大きさの隙間を設けた向い合せる爪を持ち、ゴミ投入開口を有するゴミ容器の蓋。
【請求項２】
ゴムなどの弾性体を合わせもっており、前記弾性体の反発力によって袋を前記爪に嵌め込むための枠を備えたことを特徴とする請求項１に記載の蓋。
【請求項３】
前記蓋の裏面において前記枠を使用して袋を前記爪に嵌め込む操作をするとき、動作方向に平行する両側に前記枠の横ずれを防止するための枠ずれ防止ガイドがあることを特徴とする請求項１に記載の蓋。
【考案の詳細な説明】
【技術分野】
【０００１】スーパー等で買物をした時に支給されるポリエチレン袋またはビニール袋（以下総称して「ポリ袋」と記す）をゴミ容器に使用することがあるが、ポリ袋とポリ袋の保持具をゴミ容器の外部から隠蔽しつつ、なおかつゴミ容器に使用するポリ袋の開口部分を開口状態で蓋にしっかりと保持した状態で、ゴミ投入口を有するゴミ容器の蓋として使用する技術である。
【背景技術】
【０００２】ポリ袋を枠に折り返して掛けてゴミ容器に載置する技術があるが、留め方が不充分で枠またはポリ袋がずれ落ちる心配がある。ポリ袋を枠に折り返して掛けてゴミ容器に載置し、更に別の枠または別のカバーでポリ袋を隠蔽する技術があるが、前記のように枠が載置するだけの場合は、留め方が不充分であり、枠またはポリ袋がずれ落ちる心配がある。【０００３】
【特許文献１】実開平０６−０５３５０３
【特許文献２】実登３０２７６２６
【特許文献３】特開２００３−３２７２２２
【特許文献４】特開平０９−１５６７０５
【考案の概要】
【考案が解決しようとする課題】
【０００４】スーパー等で買物をした時に支給されるポリ袋をゴミ容器に利用することが多いが、ポリ袋を折り返して枠及びリングなどに掛けて、ゴミ容器に載置する形態の場合に枠及びリングなどまたはポリ袋の留め方が不充分でずれ落ちる。【０００５】ゴミ容器にポリ袋を留める装置がある場合は、ポリ袋またはポリ袋を留めるための装置の部品、部位が外部から見えて、外観が見苦しい。また、ゴミが見え、臭いと虫などが出入りし易く、ゴミ容器とポリ袋の間にゴミが入り易いためにゴミ容器を汚して不快であり、不衛生である。【０００６】ゴミ容器にポリ袋を留めるためのフックまたはクリップなどがある場合は、フックまたはクリップなどが障害物となり着脱に手間が掛かる。また、部品数が多く、操作が複雑になる。【０００７】ゴミ容器に留めるポリ袋の大きさ、及び紐及びファスナー有無などの形状に制限がある。また、ゴミ容器にポリ袋を留めるための加工を必要とする場合は、蓋は他のゴミ容器の蓋として使用できない。
【課題を解決するための手段】
【０００８】図２及び図５が示すように、蓋１の裏面に向い合せに爪１０があり、ゴムなどの弾性体２０を合せもっている枠２にポリ袋３を折り返して掛け、共に前記爪１０に嵌め込むことで前記枠２の弾性体２０の反発力によって前記ポリ袋３を強く締め付け、前記蓋１をゴミ容器４に設置する。【０００９】図２が示すように、向い合せる前記爪１０の間隔は、前記枠２の相対するそれぞれの辺２１が、向い合せるそれぞれの前記爪１０に掛かる間隔があり、前記爪１０の長さは前記枠２の相対する辺２１の片側を押し込む時に、反対側の辺２１が向い合せる反対側の前記爪１０に当らずに前記蓋１の裏面方向に接するまで移動することができる長さであり、結果として、図４、図５、図６及び図７が示すように、前記枠２の相対する辺２１の片側を前記爪１０に押し込んだ枠２を引いて、向い合せる反対側の前記爪１０の内側に嵌め込むことができ、前記枠２を前記ポリ袋３と共に前記蓋１の裏側に容易に嵌め込むことができる。また、前記ポリ袋３と前記枠２は取り付けの逆を行い、容易に取り外すことができる。【００１０】図１が示すように、前記ポリ袋３を留めるための前記爪１０および前記枠２と前記ポリ袋３が外部から見え難く、ゴミ容器の外観を美しくする。また、ゴミを見え難くし、臭いと虫などを出入りし難くし、なおかつ前記ポリ袋３と前記蓋１に隙間が無く前記ゴミ容器４にゴミが入らないために前記ゴミ容器４をゴミで汚さずゴミ容器を衛生的に使用できる。【００１１】図１が示すように、本考案は、前記ゴミ容器４に前記ポリ袋３を留めるためのフックまたはクリップなどがなく、ゴミの投入時の障害物がなく、ポリ袋を容易に脱着できる。また、利用するポリ袋の大きさ及び形状に制限が少なく、前記蓋２は大きさ及び形状を合わせれば、既存のゴミ容器に使用することができる。
【考案の効果】
【００１２】枠は弾性体を合わせもち、ポリ袋をその反発力で強く締め付けるために、ポリ袋の深さがゴミ容器の底に届かない場合も、ゴミ容器を使用中にポリ袋がずれ落ちない。【００１３】蓋の表面にポリ袋の保持具などがなく、ポリ袋が容器内に収まり、ゴミ投入開口を覗かない限り外部からゴミも見えないため、外観がすっきりと美しくなる。蓋の上面は単質材料が平面をなし、蓋の表面に自由に彩色とデザインを施せる。また、ゴミ投入開口の形状、大きさが枠の開口の大きさの範囲内であれば自由になり、ポリ袋を備えていながら、ゴミ容器として意匠性が損なわれない。【００１４】ゴミ投入開口が小さくできるために、臭いや虫が出入りし難くでき、蓋とポリ袋の間からゴミ容器にゴミが入らないために、ゴミ容器の管理が衛生的で楽にできる。【００１５】ポリ袋の周縁は持ち手、紐及びファスナー有無などの形状に関わらず使用できる。また、ポリ袋の大きさに制限が少ない。また、ゴミ容器はポリ袋が無い場合も、蓋付のゴミ容器として従来通りに使用でき、なおかつゴミ容器は蓋を取り付けるための加工を必要としないために、ゴミ容器と蓋の大きさと形が合えば、別のデザインの蓋に取り替えられ、既存のゴミ容器に対してはポリ袋を備えた蓋として使用できる。【００１６】ゴミ容器にポリ袋を留めるためのフックまたはクリップなどの障害物がなく、蓋に留めたポリ袋の出し入れが円滑にできる。
【考案を実施するための形態】
【００１７】本考案の具体的な実施例について図面に基づいて説明する。
【００１８】図１及び図２が示すように、ポリ袋３を枠２に折り返して掛け、爪１０に嵌め込んだ蓋１をゴミ容器に載置することで、前記ポリ袋３と前記ポリ袋３を取り付けるための前記爪１０及び前記枠２を外部から隠蔽したゴミ入れを提供することができる。
【００１９】図３が示すように、枠２はゴムなどの弾性体２０を合せもち、ポリ袋３を折り返して掛け、図４、図５及び図６が示すように、前記枠２を押し引きして前記爪１０に嵌め込む時、前記枠２の前記弾性体２０の復元力によって前記ポリ袋３を強く締め付けることができる。
【００２０】図２、図３及び図７が示すように、ポリ袋３を折り返して掛けた枠２を蓋１の裏面にある爪１０の間で押し引きすることで容易に前記ポリ袋３を前記蓋１の裏に嵌め込むことができ、前記ゴミ容器４にポリ袋を取り付けるためのフック及びクリップなどの障害物がないために、前記ポリ袋４を取り付けた前記蓋１を容易にゴミ容器４に載置することができる。
【実施例】
【００２１】図１、図２、図３、図４、図５、図６及び図７が示すように、円柱形のゴミ容器４に円形の蓋１に四角形のゴミ投入開口１２のある蓋の第１実施例である。図１は前記ゴミ容器４に前記蓋１を載置した状態の縦断面図、図２は前記蓋１の裏側平面図と縦断面図、図３は枠２の平面図と断面図、図４、図５、図６及び図７はポリ袋を枠で爪に嵌め込む手順を示す。図中の▲１▼〜▲４▼はポリ袋取り付けの手順の順番を示し、図４、図５、図６の矢印はポリ袋を取り付けた枠を押し引きする方向を示す。図７の図中の矢印はポリ袋と枠を取り付けた蓋をゴミ容器に載置する方向を示す。【００２２】図８の第２実施例が示すように円柱形のゴミ容器の円形の蓋に円形のゴミ投入開口を設けたり、図９の第３実施例が示すように四角柱形のゴミ容器の四角形の蓋に四角形のゴミ投入開口を設けたりすること、または図１０の第４実施例が示すように、四角柱形のゴミ容器の四角形の蓋に円形のゴミ投入開口を設けたりすることもできる。また、図８、図９及び図１０の図中の矢印はポリ袋と枠を取り付けた蓋をゴミ容器に載置する方向を示す。
【図面の簡単な説明】
【００２３】
【図１】円柱形ゴミ容器に四角形のゴミ投入開口を持つ蓋の第１実施例であり、蓋をゴミ容器に載置した状況の縦断面図
【図２】第１実施例の蓋であり、（Ａ）は裏側平面図、（Ｂ）は縦断面図
【図３】第１実施例の枠であり、（Ａ）は平面図、（Ｂ）は縦断面図
【図４】ポリ袋を枠で蓋に留める手順図（▲１▼〜▲２▼）
【図５】ポリ袋を枠で蓋に留める手順図（▲３▼）
【図６】ポリ袋を枠で蓋に留める手順図（▲３▼）
【図７】ポリ袋を枠で留めた蓋をゴミ容器に載置する手順図（▲４▼）
【図８】円柱形ゴミ容器に円形のゴミ投入開口を持つ蓋の第２実施例であり、（Ａ）は裏側平面図、（Ｂ）は蓋をゴミ容器に載置する状況の斜視図
【図９】四角柱形ゴミ容器に四角形のゴミ投入開口を持つ蓋の第３実施例であり、（Ａ）は裏側平面図、（Ｂ）は蓋をゴミ容器に載置する状況の斜視図
【図１０】四角柱形ゴミ容器に円形のゴミ投入開口を持つ蓋の第４実施例であり、（Ａ）は裏側平面図、（Ｂ）は蓋をゴミ容器に載置する状況の斜視図
【符号の説明】
【００２４】１  蓋
１０  爪
１１  枠ずれ防止ガイド
１２  ゴミ投入開口
２  枠
２０  弾性体
２１  辺
３  ポリ袋
４  ゴミ容器
【図１】
0003169995.tif 000003
【図２】
0003169995.tif 000004
【図３】
0003169995.tif 000005
【図４】
0003169995.tif 000006
【図５】
0003169995.tif 000007
【図６】
0003169995.tif 000008
【図７】
0003169995.tif 000009
【図８】
0003169995.tif 000010
【図９】
0003169995.tif 000011
【図１０】
0003169995.tif 000012
【手続補正書】
【提出日】平成23年4月12日(2011.4.12)
【手続補正１】
【補正対象書類名】実用新案登録請求の範囲
【補正対象項目名】全文
【補正方法】変更
【補正の内容】
【実用新案登録請求の範囲】
【請求項１】
ゴミ容器の上端の外縁の大きさ及び形状に合わせた大きさ及び形状のゴミ容器の蓋の裏面との間に、袋と袋を折り返して掛けた枠を共に嵌め込める大きさの隙間を設け、前記枠の外々を差し渡す長さの間隔を設けて、前記蓋のゴミ投入開口を間にして先端を向い合せる爪を有し、ゴミ投入開口を有するゴミ容器の蓋。
【請求項２】
枠の表裏の片面にゴムなどの弾性体を合わせもっており、前記弾性体の反発力によって袋を前記爪に嵌め込むための枠を備えたことを特徴とする請求項１に記載の蓋。
【請求項３】
前記蓋の裏面において前記枠を使用して袋を前記爪に嵌め込む操作をするとき、前記枠を前記蓋の裏面に沿って押し引きする動作の軌跡の輪郭に外接し、動作方向に平行する左右両側部分に、蓋の裏面に対して垂直に突出し、前記枠が横ずれしない高さの壁である枠ずれ防止ガイドを有することを特徴とする請求項１に記載の蓋。
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
ゴミ容器の上端の外縁の大きさ及び形状に合わせた大きさ及び形状の前記ゴミ容器の蓋であり、前記ゴミ容器の上端に嵌入するための前記蓋の突縁部に取り付く爪が前記蓋の裏面に対して袋と袋を折り返して掛けた枠を共に嵌め込める大きさの隙間を設けてあり、ゴミ投入開口を間にして先端を向い合せて設けてある前記爪の間に、前記枠の向かい合う辺のそれぞれを前記枠の外部側から交互に前記爪に嵌め込むために必要な長さの間隔を設けてあるゴミ投入開口を有するゴミ容器の蓋。
【請求項２】
前記枠の表裏の片面にゴムなどの弾性体を合わせもっており、前記弾性体の反発力によって袋を前記爪に嵌め込むための前記枠を備えたことを特徴とする請求項１に記載の蓋。
【請求項３】
前記蓋の裏面において前記枠を使用して袋を前記爪に嵌め込む操作をするとき、前記枠を前記蓋の裏面に沿って押し引きする動作の軌跡の輪郭に外接し、動作方向に平行する左右両側部分に、蓋の裏面に対して垂直に突出し、前記枠が横ずれしない高さの壁である枠ずれ防止ガイドを有することを特徴とする請求項１に記載の蓋。